(57)【要約】【課題】処理負荷の大きいメディア通信機能の能力を、セッション制御機能の追加を伴わずに増強し、さらに、自由度の高い負荷分散構成を実現する。【解決手段】要求を受けたＳＳは、いずれか１つのＲＳに対し、そのＲＳのプライベートＩＰアドレスおよび受信ポート番号の払い出しを要求し、払い出しを受ける。（Ｓ３）ＳＳは、自身のプライベートＩＰアドレスを設定したＩＰヘッダ、指定された回線番号と自身のプライベートＩＰアドレスを設定したＳＩＰヘッダ、払い出されたプライベートＩＰアドレスと払い出された受信ポート番号（ＲＳ側受信ポート）を設定したＳＤＰ情報を含むＳＩＰ信号（ＩＮＶＩＴＥ）をＬ７ＳＷに送信する。【選択図】図２
2015226114.tif 000002
【特許請求の範囲】
【請求項１】
ＳＩＰサーバとＲＴＰサーバとレイヤ７スイッチを含む通信システムであって、
前記レイヤ７スイッチは、接続された複数の回線ごとにグローバルＩＰアドレスを有し、
前記ＳＩＰサーバは、前記レイヤ７スイッチにＲＴＰサーバの選択を依頼し、前記レイヤ７スイッチにより選択された前記ＲＴＰサーバに当該ＲＴＰサーバのプライベートＩＰアドレスと受信ポート番号の払い出しを要求し、当該ＲＴＰサーバから受信した、当該ＲＴＰサーバのプライベートＩＰアドレスと受信ポート番号、当該ＳＩＰサーバのプライベートＩＰアドレス含むＳＩＰ要求信号を前記レイヤ７スイッチに送信し、
前記レイヤ７スイッチは、当該ＳＩＰ要求信号に含まれる当該各プライベートＩＰアドレスを、１つの回線に対応するグローバルＩＰアドレスに置き換え、当該信号に設定された受信ポート番号を、払い出した受信ポート番号に置き換え、当該回線に送出し、
前記レイヤ７スイッチは、当該回線から受信したＳＩＰ応答信号に設定された当該回線に対応する当該レイヤ７スイッチのグローバルＩＰアドレスを前記ＳＩＰサーバのプライベートＩＰアドレスに置き換え、前記ＳＩＰサーバに送信し、
前記ＳＩＰサーバは、受信ポート番号を払い出したＲＴＰサーバに対し、前記レイヤ７スイッチから受信した当該ＳＩＰ応答信号に設定された、前記回線を通して通信を行う網側の受信ポート番号および網側のグローバルＩＰアドレスを通知し、
前記ＲＴＰサーバは、前記ＳＩＰサーバから通知された前記回線を通して通信を行う網側のグローバルＩＰアドレスおよび受信ポート番号をそれぞれ宛先ＩＰアドレスおよび宛先ポート番号とし、当該ＲＴＰサーバのプライベートアドレスおよび当該ＲＴＰサーバが払い出した受信ポート番号をそれぞれ送信元ＩＰアドレスおよび送信元ポート番号として設定したＲＴＰ信号を前記レイヤ７スイッチに送信し、
前記レイヤ７スイッチは、当該ＲＴＰ信号の送信元ＩＰアドレスおよび送信元ポート番号をそれぞれ当該回線に対応するグローバルＩＰアドレスおよび当該レイヤ７スイッチが払い出した受信ポート番号に置き換え、前記回線に送出し、
前記レイヤ７スイッチは、前記回線から受信したＲＴＰ信号の宛先ＩＰアドレスである当該回線に対応するグローバルＩＰヘッダおよび宛先ポート番号である当該レイヤ７スイッチが払い出した受信ポート番号をそれぞれ前記ＲＴＰサーバのプライベートアドレスおよび当該ＲＴＰサーバが払い出した受信ポート番号に置き換え、前記ＲＴＰサーバに送信する
ことを特徴とする通信システム。
【請求項２】
ＳＩＰサーバとＲＴＰサーバとレイヤ７スイッチを含む通信システムであって、
前記レイヤ７スイッチは、接続された複数の回線ごとにグローバルＩＰアドレスを有し、
前記レイヤ７スイッチは、受信ポート番号を含むＳＩＰ要求信号であっていずれかの前記回線から受信したＳＩＰ要求信号のグローバルＩＰアドレスを前記ＳＩＰサーバのプライベートＩＰアドレスに置き換え、前記ＳＩＰサーバに送信し、
前記ＳＩＰサーバは、前記レイヤ７スイッチにＲＴＰサーバの選択を依頼し、前記レイヤ７スイッチにより選択された前記ＲＴＰサーバに当該ＲＴＰサーバのプライベートＩＰアドレスと受信ポート番号の払い出しを要求し、当該ＲＴＰサーバから払い出された当該ＲＴＰサーバのプライベートＩＰアドレスと受信ポート番号と、当該ＳＩＰサーバのプライベートＩＰアドレスを設定したＳＩＰ応答信号を前記レイヤ７スイッチに送信し、前記ＲＴＰサーバに対し、前記ＳＩＰ要求信号に設定された、前記回線を通して通信を行う網側の受信ポート番号および網側のグローバルＩＰアドレスを通知し、
前記レイヤ７スイッチは、当該ＳＩＰ応答信号に含まれる当該各プライベートＩＰアドレスを、前記ＳＩＰ要求信号を受信した回線に対応するグローバルＩＰアドレスに置き換え、受信ポート番号を払い出し、当該ＳＩＰ応答信号に設定された、前記ＲＴＰサーバが払い出した受信ポート番号を当該レイヤ７スイッチが払い出した受信ポート番号に置き換え、当該回線に送出し、
前記ＲＴＰサーバは、前記ＳＩＰサーバから通知された前記回線を通して通信を行う網側のグローバルＩＰアドレスおよび受信ポート番号をそれぞれ宛先ＩＰアドレスおよび宛先ポート番号とし、当該ＲＴＰサーバのプライベートアドレスおよび当該ＲＴＰサーバが払い出した受信ポート番号をそれぞれ送信元ＩＰアドレスおよび送信元ポート番号として設定したＲＴＰ信号を前記レイヤ７スイッチに送信し、
前記レイヤ７スイッチは、当該ＲＴＰ信号の送信元ＩＰアドレスおよび送信元ポート番号をそれぞれ当該回線に対応するグローバルＩＰアドレスおよび当該レイヤ７スイッチが払い出した受信ポート番号に置き換え、前記回線に送出し、
前記レイヤ７スイッチは、前記回線から受信したＲＴＰ信号の宛先ＩＰアドレスである当該回線に対応するグローバルＩＰヘッダおよび宛先ポート番号である当該レイヤ７スイッチが払い出した受信ポート番号をそれぞれ前記ＲＴＰサーバのプライベートアドレスおよび当該ＲＴＰサーバが払い出した受信ポート番号に置き換え、前記ＲＴＰサーバに送信する
ことを特徴とする通信システム。
【発明の詳細な説明】
【技術分野】
【０００１】
本発明は、通信システムに関するものである。
【背景技術】
【０００２】
音声、画像などを利用してユーザと対話型通信を行うために使用されるメディアサーバは、一般にＳＩＰ（Ｓｅｓｓｉｏｎ  Ｉｎｉｔｉａｔｉｏｎ  Ｐｒｏｔｏｃｏｌ）によるセッション制御機能とＲＴＰ（Ｒｅａｌｔｉｍｅ  Ｔｒａｎｓｐｏｒｔ  Ｐｒｏｔｏｃｏｌ）によるメディア通信機能が一つの筺体に収められ、外部インタフェースもＳＩＰとＲＴＰで共有する形態がとられる。
【０００３】
メディアサーバは、不特定多数のユーザと同時に通信を行うため、ユーザ端末よりも多数のチャネルや高い処理性能が求められ、トラフィックに応じてサーバの増減設が行われる。一般にＳＩＰよりもＲＴＰのほうが処理負荷が高いため、多くの場合サーバの必要台数はメディア通信の処理量によって決定される。
【先行技術文献】
【特許文献】
【０００４】
【特許文献１】特開２０１２−２４４３９２号公報
【発明の概要】
【発明が解決しようとする課題】
【０００５】
セッション制御機能とメディア通信機能が一つの筺体に収められた従来の形態のメディアサーバでは、メディア通信機能のみ処理能力が不足する場合でもセッション制御機能と一体で増設しなければならず、１台あたりの拡大可能なメディア通信機能の処理能力が制限されてしまう。また、セッション制御を行ったサーバがそのままメディア通信も行うため、負荷分散におけるサーバ選択のバリエーションはそれほど大きくはならない。
【０００６】
一方、システムに複数のＵＮＩ回線が接続され、ＳＩＰパケットとＲＴＰパケットが同一の回線を共有している場合には、通信の都度、ＳＩＰヘッダに該当の電話番号を設定して利用する回線を選択することとなるが、障害により一部の回線が使用できなくなった場合には速やかにその回線を選択から除外することが求められる。そのためにはＳＩＰの設定を変更する必要があるが、セッション制御機能とメディア制御機能が一体となっている場合は、すべてのメディアサーバの設定変更をしなければならない。
【０００７】
本発明の目的は、処理負荷の大きいメディア通信機能の能力を、セッション制御機能の追加を伴わずに増強し、さらに、自由度の高い負荷分散構成を実現することにある。
【課題を解決するための手段】
【０００８】
上記の課題を解決するために、第１の本発明は、ＳＩＰサーバとＲＴＰサーバとレイヤ７スイッチを含む通信システムであって、前記レイヤ７スイッチは、接続された複数の回線ごとにグローバルＩＰアドレスを有し、前記ＳＩＰサーバは、前記レイヤ７スイッチにＲＴＰサーバの選択を依頼し、前記レイヤ７スイッチにより選択された前記ＲＴＰサーバに当該ＲＴＰサーバのプライベートＩＰアドレスと受信ポート番号の払い出しを要求し、当該ＲＴＰサーバから受信した、当該ＲＴＰサーバのプライベートＩＰアドレスと受信ポート番号、当該ＳＩＰサーバのプライベートＩＰアドレス含むＳＩＰ要求信号を前記レイヤ７スイッチに送信し、前記レイヤ７スイッチは、当該ＳＩＰ要求信号に含まれる当該各プライベートＩＰアドレスを、１つの回線に対応するグローバルＩＰアドレスに置き換え、当該信号に設定された受信ポート番号を、払い出した受信ポート番号に置き換え、当該回線に送出し、前記レイヤ７スイッチは、当該回線から受信したＳＩＰ応答信号に設定された当該回線に対応する当該レイヤ７スイッチのグローバルＩＰアドレスを前記ＳＩＰサーバのプライベートＩＰアドレスに置き換え、前記ＳＩＰサーバに送信し、前記ＳＩＰサーバは、受信ポート番号を払い出したＲＴＰサーバに対し、前記レイヤ７スイッチから受信した当該ＳＩＰ応答信号に設定された、前記回線を通して通信を行う網側の受信ポート番号および網側のグローバルＩＰアドレスを通知し、前記ＲＴＰサーバは、前記ＳＩＰサーバから通知された前記回線を通して通信を行う網側のグローバルＩＰアドレスおよび受信ポート番号をそれぞれ宛先ＩＰアドレスおよび宛先ポート番号とし、当該ＲＴＰサーバのプライベートアドレスおよび当該ＲＴＰサーバが払い出した受信ポート番号をそれぞれ送信元ＩＰアドレスおよび送信元ポート番号として設定したＲＴＰ信号を前記レイヤ７スイッチに送信し、前記レイヤ７スイッチは、当該ＲＴＰ信号の送信元ＩＰアドレスおよび送信元ポート番号をそれぞれ当該回線に対応するグローバルＩＰアドレスおよび当該レイヤ７スイッチが払い出した受信ポート番号に置き換え、前記回線に送出し、前記レイヤ７スイッチは、前記回線から受信したＲＴＰ信号の宛先ＩＰアドレスである当該回線に対応するグローバルＩＰヘッダおよび宛先ポート番号である当該レイヤ７スイッチが払い出した受信ポート番号をそれぞれ前記ＲＴＰサーバのプライベートアドレスおよび当該ＲＴＰサーバが払い出した受信ポート番号に置き換え、前記ＲＴＰサーバに送信することを特徴とする。
【０００９】
第２の本発明は、ＳＩＰサーバとＲＴＰサーバとレイヤ７スイッチを含む通信システムであって、前記レイヤ７スイッチは、接続された複数の回線ごとにグローバルＩＰアドレスを有し、前記レイヤ７スイッチは、受信ポート番号を含むＳＩＰ要求信号であっていずれかの前記回線から受信したＳＩＰ要求信号のグローバルＩＰアドレスを前記ＳＩＰサーバのプライベートＩＰアドレスに置き換え、前記ＳＩＰサーバに送信し、前記ＳＩＰサーバは、前記レイヤ７スイッチにＲＴＰサーバの選択を依頼し、前記レイヤ７スイッチにより選択された前記ＲＴＰサーバに当該ＲＴＰサーバのプライベートＩＰアドレスと受信ポート番号の払い出しを要求し、当該ＲＴＰサーバから払い出された当該ＲＴＰサーバのプライベートＩＰアドレスと受信ポート番号と、当該ＳＩＰサーバのプライベートＩＰアドレスを設定したＳＩＰ応答信号を前記レイヤ７スイッチに送信し、前記ＲＴＰサーバに対し、前記ＳＩＰ要求信号に設定された、前記回線を通して通信を行う網側の受信ポート番号および網側のグローバルＩＰアドレスを通知し、前記レイヤ７スイッチは、当該ＳＩＰ応答信号に含まれる当該各プライベートＩＰアドレスを、前記ＳＩＰ要求信号を受信した回線に対応するグローバルＩＰアドレスに置き換え、受信ポート番号を払い出し、当該ＳＩＰ応答信号に設定された、前記ＲＴＰサーバが払い出した受信ポート番号を当該レイヤ７スイッチが払い出した受信ポート番号に置き換え、当該回線に送出し、前記ＲＴＰサーバは、前記ＳＩＰサーバから通知された前記回線を通して通信を行う網側のグローバルＩＰアドレスおよび受信ポート番号をそれぞれ宛先ＩＰアドレスおよび宛先ポート番号とし、当該ＲＴＰサーバのプライベートアドレスおよび当該ＲＴＰサーバが払い出した受信ポート番号をそれぞれ送信元ＩＰアドレスおよび送信元ポート番号として設定したＲＴＰ信号を前記レイヤ７スイッチに送信し、前記レイヤ７スイッチは、当該ＲＴＰ信号の送信元ＩＰアドレスおよび送信元ポート番号をそれぞれ当該回線に対応するグローバルＩＰアドレスおよび当該レイヤ７スイッチが払い出した受信ポート番号に置き換え、前記回線に送出し、前記レイヤ７スイッチは、前記回線から受信したＲＴＰ信号の宛先ＩＰアドレスである当該回線に対応するグローバルＩＰヘッダおよび宛先ポート番号である当該レイヤ７スイッチが払い出した受信ポート番号をそれぞれ前記ＲＴＰサーバのプライベートアドレスおよび当該ＲＴＰサーバが払い出した受信ポート番号に置き換え、前記ＲＴＰサーバに送信することを特徴とする。
【発明の効果】
【００１０】
本発明によれば、処理負荷の大きいメディア通信機能の能力を、セッション制御機能の追加を伴わずに増強でき、さらに、自由度の高い負荷分散構成を実現できる。
【図面の簡単な説明】
【００１１】
【図１】本発明の一実施例に係る通信システムの概要図を示す。
【図２】アプリケーションサーバＡＳからメディアサーバとＬ７ＳＷを経由して端末に着信する場合の手順を示す。
【図３】図２の手順についての補足説明を示す。
【図４】端末からＲＳに着信する場合の手順を示す。
【図５】ＳＳ＃１、ＳＳ＃２のいずれかから、Ｌ７ＳＷを経由して、Ｌ＃１、Ｌ＃２のいずれかにＳＩＰ信号（ＩＮＶＩＴＥ）を送信する際に、ＳＩＰ信号がどのように書き換わるかを示す。
【発明を実施するための形態】
【００１２】
以下、本発明の実施の形態について図面を参照して説明する。
【００１３】
図１に本発明の一実施例に係る通信システムの概要図を示す。
【００１４】
メディアサーバは、セッション制御機能を有するＳＩＰサーバＳＳ＃１、ＳＳ＃２と、メディア通信機能を有するＲＴＰサーバＲＳ＃１、ＲＳ＃２、ＲＳ＃３、ＲＳ＃４とに物理的に分離して構成されている。なお、ＳＩＰサーバ、ＲＴＰサーバの数は便宜的に示すもので、この限りではない。
【００１５】
ＳＩＰサーバとＲＴＰサーバの対応付けは、これらを収容し、ＵＮＩ回線Ｌ＃１、Ｌ＃２、Ｌ＃３を終端するレイヤ７スイッチＬ７ＳＷで行う。ＵＮＩ回線は、ＩＰ網に収容され、ＳＩＰ信号とＲＴＰ信号の送受信に使用される。ＵＮＩ回線の数は便宜的に示すもので、この限りではない。
【００１６】
例えば、ＵＮＩ回線Ｌ＃２が運用中に故障したら、予備のＵＮＩ回線Ｌ＃３への切り替えが行われる。
【００１７】
以下、ＳＩＰサーバ、ＲＴＰサーバ、レイヤ７スイッチ、ＵＮＩ回線を符号にて呼称する。後述のアプリケーションサーバＡＳも同様である。また、単に１つのＳＩＰサーバを呼称する際はＳＳという。また、単に１つのＲＴＰサーバを呼称する際はＲＳという。
（Ｌ７ＳＷ）
Ｌ７ＳＷは、負荷分散機能のほか、ＳＩＰ信号については、回線番号に基づくグローバルＩＰアドレスの選択、ＮＡＴ（Ｎｅｔｗｏｒｋ  Ａｄｄｒｅｓｓ  Ｔｒａｎｓｌａｔｉｏｎ）変換、ＡＬＧ（Ａｐｐｌｉｃａｔｉｏｎ  Ｌｅｖｅｌ  Ｇａｔｅｗａｙ）変換、ＤＳＣＰの変換を行う。
【００１８】
また、Ｌ７ＳＷは、ＲＴＰ信号については、グローバルＩＰアドレスによるＩＰヘッダのＮＡＴ変換、ＤＳＣＰの変換を行う。
【００１９】
また、Ｌ７ＳＷは、ＵＮＩ回線と１対１で対応するグローバルＩＰアドレスを有する。
【００２０】
また、受信ポート番号について、ＵＮＩ回線側とＲＴＰサーバ側との対応付けを行う。
【００２１】
また、Ｌ７ＳＷは、ＵＮＩ回線側からＳＩＰ信号（ＩＮＶＩＴＥ）（ＳＩＰ要求信号ともいう）を受信した場合は、ラウンドロビン方式でＳＩＰサーバを選択し、そのＳＩＰサーバとＳＩＰ信号を送受信する。
【００２２】
また、Ｌ７ＳＷは、払い出された受信ポート番号とＩＰアドレスを基にＲＴＰサーバを選択し、ＲＴＰ信号を送受信する。
（ＳＳ＃１、ＳＳ＃２）
ＳＳ＃１、ＳＳ＃２（ＳＩＰサーバ）は、ＳＩＰ信号の送受信、回線番号の選定、受信ポート番号、ＩＰアドレスの要求、ＳＤＰ情報への設定を行う。
（ＲＳ＃１〜ＲＳ＃４）
ＲＳ＃１〜ＲＳ＃４（ＲＴＰサーバ）は、ＲＴＰ信号の送受信、受信ポート番号／ＩＰアドレスの払い出しを行う。
【００２３】
ＳＩＰサーバとＲＴＰサーバは、受信ポート番号／ＩＰアドレスの授受を行う。
【００２４】
図２を参照し、アプリケーションサーバＡＳからメディアサーバとＬ７ＳＷを経由して端末に着信する場合の手順について説明する。
【００２５】
前述のように、Ｌ７ＳＷは、ＵＮＩ回線と同数のグローバルＩＰアドレスを有し、各ＵＮＩ回線にグローバルＩＰアドレスが１対１で割り当てられている。また、発番号とグローバルＩＰアドレスも１対１で対応しているとする。
【００２６】
（Ｓ１）ＡＳは、いずれか１つのＳＳに対し、着側の回線番号（例えば、０４２２５９ＸＸＸＸ）を指定し、ＳＩＰ信号の生成を要求する（ｉｎｖｉｔｅＰａｒｔｉｃＩＰａｎｔ（Ｔｏ：０４２２５９ＸＸＸＸ））。
【００２７】
（Ｓ２）要求を受けたＳＳは、Ｌ７ＳＷに選択を依頼し、Ｌ７ＳＷが選択した、いずれか１つのＲＳに対し、そのＲＳのプライベートＩＰアドレスおよび受信ポート番号（ＲＳ側受信ポート）の払い出しを要求し、プライベートＩＰアドレスと受信ポート番号の払い出しを受ける。
【００２８】
（Ｓ３）ＳＳは、自身のプライベートＩＰアドレスを設定したＩＰヘッダ、指定された回線番号と自身のプライベートＩＰアドレスを設定したＳＩＰヘッダ、払い出されたプライベートＩＰアドレスと払い出された受信ポート番号（ＲＳ側受信ポート）を設定したＳＤＰ情報を含むＳＩＰ信号（ＩＮＶＩＴＥ）をＬ７ＳＷに送信する。
【００２９】
Ｌ７ＳＷは、このＩＰヘッダ、ＳＩＰヘッダ、ＳＤＰ情報に設定された当該各プライベートＩＰアドレスを回線番号に対応するグローバルＩＰアドレスに置き換え、端末側の受信ポート番号（端末側受信ポート）を払い出し、ＳＤＰ情報に設定された受信ポート番号を、この払い出した受信ポート番号に置き換え、回線番号に対応するＵＮＩ回線にＳＩＰ信号（ＩＮＶＩＴＥ）を送出する。
【００３０】
このＵＮＩ回線に接続された端末は、ＳＩＰ信号（ＩＮＶＩＴＥ）を受信する。
【００３１】
また、Ｌ７ＳＷは、この端末からＵＮＩ回線を介してＳＩＰ信号（２００ＯＫ）（ＳＩＰ応答信号ともいう）を受信し、応答信号に設定された当該回線に対応する当該Ｌ７ＳＷのグローバルＩＰアドレスを、ＳＩＰ信号（ＩＮＶＩＴＥ）を送信してきたＳＩＰサーバのプライベートＩＰアドレスに置き換え、当該ＳＩＰサーバに送信する。このＳＩＰ信号（２００ＯＫ）には、当該ＵＮＩ回線を通して通信を行う網側の受信ポート番号および網側のグローバルＩＰアドレスが含まれる。
【００３２】
（Ｓ４）このＳＳは、ＳＩＰ信号（２００ＯＫ）を受信し、受信ポート番号を払い出したＲＳに対し、当該信号に設定された、当該ＵＮＩ回線を通して通信を行う網側の受信ポート番号およびグローバルＩＰアドレスを通知し、接続を要求する。
【００３３】
（Ｓ５）ＲＳと端末は、ＲＴＰ信号により通信を開始する。ＲＳ側受信ポートは、ＲＳが払い出した受信ポート番号に対応するものであり、端末側受信ポートは、Ｌ７ＳＷが払い出した受信ポート番号に対応するものである。
【００３４】
詳しくは、ＲＳは、ＳＳから通知された、回線を通して通信を行う網側のグローバルＩＰアドレスおよび受信ポート番号をそれぞれ宛先ＩＰアドレスおよび宛先ポート番号とし、当該ＲＳのプライベートアドレスおよび当該ＲＳが払い出した受信ポート番号をそれぞれ送信元ＩＰアドレスおよび送信元ポート番号として設定したＲＴＰ信号をＬ７ＳＷに送信する。
【００３５】
Ｌ７ＳＷは、当該ＲＴＰ信号の送信元ＩＰアドレスおよび送信元ポート番号をそれぞれ当該回線に対応するグローバルＩＰアドレスおよび当該レイヤ７スイッチが払い出した受信ポート番号に置き換え、回線に送出する。
【００３６】
Ｌ７ＳＷは、回線から受信したＲＴＰ信号の宛先ＩＰアドレスである当該回線に対応するグローバルＩＰヘッダおよび宛先ポート番号である当該レイヤ７スイッチが払い出した受信ポート番号をそれぞれＲＳのプライベートアドレスおよびＲＳが払い出した受信ポート番号に置き換え、ＲＳに送信する。
【００３７】
（Ｓ６）一方、ＳＳは、ＡＳに対し、ＲＳと端末が通信中であることを示すイベントを発行する（ｎｏｔｉｆｙＳｅｓｓｉｏｎＥｖｅｎｔ（通信中））。
【００３８】
図３に示すように、ＳＳ＃１やＳＳ＃２（ＳＳ）がＡＳから着側の回線番号（０４２２５９ＸＸＸＸ）を指定され、ＲＳ＃１やＲＳ＃２（以下、ＲＳ）から払い出しを受けてからＬ７ＳＷへ送信するＳＩＰ信号（ＩＮＶＩＴＥ）において、ＩＰヘッダには、ＳＳのプライベートＩＰアドレス（Ｓｏｕｒｃｅ：プライベートＩＰアドレス（ＳＳ））と、ＩＰ網の識別情報（Ｄｅｓｔｉｎａｔｉｏｎ：ＮＧＮ−ＩＰ）が含まれる。
【００３９】
ＳＩＰヘッダには、ＡＳの回線番号（Ｆｒｏｍ／Ｐ−Ａ−ＩＤ：０４３２１１ＸＸＸＸ）と、着側の回線番号（Ｒ−ＵＲＩ／Ｔｏ：０４２２５９ＸＸＸＸ）と、ＳＳのプライベートＩＰアドレス（Ｃｏｎｔａｃｔ／Ｖｉａ：プライベートＩＰアドレス（ＳＳ））が含まれる。
【００４０】
ＳＤＰ情報には、ＲＳが払い出した受信ポート番号（受信ポート：ＲＳ払い出し番号）と、ＲＳが払い出したプライベートＩＰアドレス（ｃ＝／ｏ＝行：プライベートＩＰアドレス（ＲＳ））が含まれる。
【００４１】
図３に示すように、Ｌ７ＳＷにおけるＳＩＰ信号（ＩＮＶＩＴＥ）のＩＰレイヤのヘッダ書き換え（ＮＡＴ動作）により、Ｌ７ＳＷからＵＮＩ回線に送出されるＳＩＰ信号（ＩＮＶＩＴＥ）のＩＰヘッダには、ＵＮＩ回線に対応するＬ７ＳＷのグローバルＩＰアドレス（Ｓｏｕｒｃｅ：グローバルＩＰアドレス）と、ＤＳＣＰ値（例えばＤＳＣＰ：０ｘ２ｅ）が含まれる。
【００４２】
また、Ｌ７ＳＷにおけるＳＩＰ信号のＳＩＰヘッダ／ＳＤＰ情報の書き換え（ＡＬＧ動作）により、Ｌ７ＳＷからＵＮＩ回線に送出されるＳＩＰ信号（ＩＮＶＩＴＥ）のＳＩＰヘッダには、ＵＮＩ回線に対応するＬ７ＳＷのグローバルＩＰアドレス（Ｃｏｎｔａｃｔ／Ｖｉａ：グローバルＩＰアドレス）と、Ｌ７ＳＷが払い出した受信ポート番号（受信ポート：Ｌ７ＳＷ払い出し番号）が含まれる。ＳＤＰ情報には、ＵＮＩ回線に対応するＬ７ＳＷのグローバルＩＰアドレス（ｃ＝／ｏ＝行：グローバルＩＰアドレス）が含まれる。
【００４３】
また、図３に示すように、ＲＳからＬ７ＳＷへのＲＴＰ信号において、ＩＰヘッダには、ＲＳのプライベートＩＰアドレス（Ｓｏｕｒｃｅ：プライベートＩＰアドレス（ＲＳ））と、ＩＰ網の識別情報（Ｄｅｓｔｉｎａｔｉｏｎ：ＮＧＮ−ＩＰ）が含まれる。
【００４４】
また、図３に示すように、Ｌ７ＳＷにおけるＲＴＰ信号のＩＰレイヤのヘッダ書き換え（ＮＡＴ動作）により、端末へのＲＴＰ信号において、ＩＰヘッダには、ＵＮＩ回線に対応するＬ７ＳＷのグローバルＩＰアドレス（Ｓｏｕｒｃｅ：グローバルＩＰアドレス）と、ＤＳＣＰ値（例えばＤＳＣＰ：０ｘ２ｅ）が含まれる。
【００４５】
次に、図４を参照して、端末からＲＳに着信する場合の手順を説明する。
【００４６】
（Ｔ１）Ｌ７ＳＷは、いずれかの端末からＵＮＩ回線を介してＳＩＰ信号（ＩＮＶＩＴＥ）を受信する。ＳＩＰ信号（２００ＯＫ）には、当該ＵＮＩ回線を通して通信を行う網側の受信ポート番号および網側のグローバルＩＰアドレスが含まれる。
【００４７】
（Ｔ２）Ｌ７ＳＷは、ラウンドロビン方式により、いずれか１つのＳＳを選択し、ＳＩＰ信号（２００ＯＫ）のＩＰヘッダ、ＳＩＰヘッダ、ＳＤＰ情報に設定されたＬ７ＳＷのグローバルＩＰアドレスを当該ＳＳのプライベートＩＰアドレスに置き換え、置き換え後のＳＩＰ信号（ＩＮＶＩＴＥ）を送信する。
【００４８】
（Ｔ３）ＳＩＰ信号（ＩＮＶＩＴＥ）を受信したＳＳは、Ｌ７ＳＷにＲＳの選択を依頼し、Ｌ７ＳＷにより選択された１つのＲＳに対し、ＲＳのプライベートＩＰアドレスおよび受信ポート番号（ＲＳ側受信ポートに対応する受信ポート番号）の払い出しを要求し、プライベートＩＰアドレスと受信ポート番号の払い出しを受ける。
【００４９】
ＳＳは、自身のプライベートＩＰアドレスを設定したＩＰヘッダ、当該プライベートＩＰアドレスを設定したＳＩＰヘッダ、払い出されたプライベートＩＰアドレスと払い出された受信ポート番号を設定したＳＤＰ情報を含むＳＩＰ信号（２００ＯＫ）（応答信号）をＬ７ＳＷに送信する。
【００５０】
また、ＳＳは、ＲＳに対し、ＳＩＰ信号（２００ＯＫ）に設定された、ＵＮＩ回線を通して通信を行う網側の受信ポート番号および網側のグローバルＩＰアドレスを通知する。
【００５１】
（Ｔ４）ＳＩＰ信号（２００ＯＫ）を受信したＬ７ＳＷは、そのＩＰヘッダ、ＳＩＰヘッダ、ＳＤＰ情報に設定された各プライベートＩＰアドレスを、ＵＮＩ回線（ＳＩＰ信号（ＩＮＶＩＴＥ）を受信したＵＮＩ回線）に対応するＬ７ＳＷのグローバルＩＰアドレスに置き換え、受信ポート番号を払い出し、ＳＤＰ情報に設定されたＲＳが払い出した受信ポート番号をＬ７ＳＷが払い出した受信ポート番号に置き換え、当該ＵＮＩ回線に送出する。
【００５２】
ＲＳと端末は、ＲＴＰ信号により通信を開始する。
【００５３】
（Ｔ５）この際、Ｌ７ＳＷは、払い出された受信ポート番号と払い出されたプライベートＩＰアドレスに従いＲＳを選択し、このＲＳにＲＴＰ信号を送信する。
【００５４】
詳しくは、ＲＳは、ＳＳから通知された、回線を通して通信を行う網側のグローバルＩＰアドレスおよび受信ポート番号をそれぞれ宛先ＩＰアドレスおよび宛先ポート番号とし、当該ＲＳのプライベートアドレスおよび当該ＲＳが払い出した受信ポート番号をそれぞれ送信元ＩＰアドレスおよび送信元ポート番号として設定したＲＴＰ信号をＬ７ＳＷに送信する。
【００５５】
Ｌ７ＳＷは、当該ＲＴＰ信号の送信元ＩＰアドレスおよび送信元ポート番号をそれぞれ当該回線に対応するグローバルＩＰアドレスおよび当該レイヤ７スイッチが払い出した受信ポート番号に置き換え、回線に送出する。
【００５６】
Ｌ７ＳＷは、回線から受信したＲＴＰ信号の宛先ＩＰアドレスである当該回線に対応するグローバルＩＰヘッダおよび宛先ポート番号である当該レイヤ７スイッチが払い出した受信ポート番号をそれぞれＲＳのプライベートアドレスおよびＲＳが払い出した受信ポート番号に置き換え、ＲＳに送信する。
【００５７】
図５を参照して、ＳＳ＃１、ＳＳ＃２のいずれかから、Ｌ７ＳＷを経由して、Ｌ＃１、Ｌ＃２のいずれかにＳＩＰ信号（ＩＮＶＩＴＥ）を送信する際に、ＳＩＰ信号がどのように書き換わるかを説明する。
（１）
ＳＳ＃１がＡＳからＬ＃１の回線番号を指定され、ＲＳ＃１から払い出しを受けてからＬ７ＳＷへ送信するＳＩＰ信号（ＩＮＶＩＴＥ）において、
ＩＰヘッダには、ＳＳ＃１のプライベートＩＰアドレスが含まれる（Ｓｏｕｒｃｅ：プライベートＩＰアドレスＳＳ＃１）。
【００５８】
ＳＩＰヘッダには、Ｌ＃１の回線番号（Ｆｒｏｍ／Ｐ−Ａ−ＩＤ：回線＃１番号）と、ＳＳ＃１のプライベートＩＰアドレス（Ｃｏｎｔａｃｔ／Ｖｉａ：プライベートＩＰアドレスＳＳ＃１）が含まれる。
【００５９】
なお、Ｆｒｏｍ／Ｐ−Ａ−ＩＤの回線番号は、負荷分散のため、ＳＳ単位に固定しないのが好ましい。
【００６０】
ＳＤＰ情報には、ＲＳ＃１のプライベートＩＰアドレス（ｃ＝／ｏ＝行：プライベートＩＰアドレスＲＳ＃１）と、ＲＳ＃１から払い出しを受けたポート番号（受信ポート番号：＃１）が含まれる。
【００６１】
このＳＩＰ信号（ＩＮＶＩＴＥ）を受けたＬ７ＳＷからＬ＃１に送出されるＳＩＰ信号（ＩＮＶＩＴＥ）において、
ＩＰヘッダには、Ｌ＃１に対応するＬ７ＳＷのグローバルＩＰアドレス（Ｓｏｕｒｃｅ：グローバルＩＰアドレス＃１）が含まれる。
【００６２】
ＳＩＰヘッダには、Ｌ＃１の回線番号（Ｆｒｏｍ／Ｐ−Ａ−ＩＤ：回線＃１番号）と、Ｌ＃１に対応するＬ７ＳＷのグローバルＩＰアドレス（Ｃｏｎｔａｃｔ／Ｖｉａ：グローバルＩＰアドレス＃１）が含まれる。
【００６３】
ＳＤＰ情報には、Ｌ＃１に対応するＬ７ＳＷのグローバルＩＰアドレス（ｃ＝／ｏ＝行：グローバルＩＰアドレス＃１）と、Ｌ７ＳＷが払い出したポート番号（受信ポート番号：＃Ａもしくは＃Ｂ）が含まれる。
（２）
ＳＳ＃１がＡＳからＬ＃２の回線番号を指定され、ＲＳ＃１から払い出しを受けてからＬ７ＳＷへ送信するＳＩＰ信号（ＩＮＶＩＴＥ）において、
ＩＰヘッダには、ＳＳ＃１のプライベートＩＰアドレスが含まれる（Ｓｏｕｒｃｅ：プライベートＩＰアドレスＳＳ＃１）が含まれる。
【００６４】
ＳＩＰヘッダには、回線番号（Ｆｒｏｍ／Ｐ−Ａ−ＩＤ：回線＃２番号）と、ＳＳ＃１のプライベートＩＰアドレス（Ｃｏｎｔａｃｔ／Ｖｉａ：プライベートＩＰアドレスＳＳ＃１）が含まれる。
【００６５】
ＳＤＰ情報には、ＲＳ＃１のプライベートＩＰアドレス（ｃ＝／ｏ＝行：プライベートＩＰアドレスＲＳ＃１）と、ＲＳ＃１から払い出しを受けたポート番号（受信ポート番号：＃２）が含まれる。
【００６６】
このＳＩＰ信号（ＩＮＶＩＴＥ）を受けたＬ７ＳＷからＬ＃２に送出されるＳＩＰ信号（ＩＮＶＩＴＥ）において、
ＩＰヘッダには、Ｌ＃２に対応するＬ７ＳＷのグローバルＩＰアドレス（Ｓｏｕｒｃｅ：グローバルＩＰアドレス＃２）が含まれる。
【００６７】
ＳＩＰヘッダには、Ｌ＃２の回線番号（Ｆｒｏｍ／Ｐ−Ａ−ＩＤ：回線＃２番号）と、Ｌ＃２に対応するＬ７ＳＷのグローバルＩＰアドレス（Ｃｏｎｔａｃｔ／Ｖｉａ：グローバルＩＰアドレス＃２）が含まれる。
【００６８】
ＳＤＰ情報には、Ｌ＃２に対応するＬ７ＳＷのグローバルＩＰアドレス（ｃ＝／ｏ＝行：グローバルＩＰアドレス＃２）と、Ｌ７ＳＷが払い出したポート番号（受信ポート番号：＃Ａもしくは＃Ｂ）が含まれる。
（３）
ＳＳ＃２がＡＳからＬ＃１の回線番号を指定され、ＲＳ＃２から払い出しを受けてからＬ７ＳＷへ送信するＳＩＰ信号（ＩＮＶＩＴＥ）において、
ＩＰヘッダには、ＳＳ＃２のプライベートＩＰアドレス（Ｓｏｕｒｃｅ：プライベートＩＰアドレスＳＳ＃２）が含まれる。
【００６９】
ＳＩＰヘッダには、Ｌ＃１の回線番号（Ｆｒｏｍ／Ｐ−Ａ−ＩＤ：回線＃１番号）と、ＳＳ＃２のプライベートＩＰアドレス（Ｃｏｎｔａｃｔ／Ｖｉａ：プライベートＩＰアドレスＳＳ＃２）が含まれる。
【００７０】
ＳＤＰ情報には、ＲＳ＃２のプライベートＩＰアドレス（ｃ＝／ｏ＝行：プライベートＩＰアドレスＲＳ＃２）と、ＲＳ＃２から払い出しを受けたポート番号（受信ポート番号：＃１）が含まれる。
【００７１】
このＳＩＰ信号（ＩＮＶＩＴＥ）を受けたＬ７ＳＷからＬ＃１に送出されるＳＩＰ信号（ＩＮＶＩＴＥ）は、上記（１）の場合と同様である。
（４）
ＳＳ＃２がＡＳからＬ＃２の回線番号を指定され、ＲＳ＃２から払い出しを受けてからＬ７ＳＷへ送信するＳＩＰ信号（ＩＮＶＩＴＥ）において、
ＩＰヘッダには、ＳＳ＃２のプライベートＩＰアドレス（Ｓｏｕｒｃｅ：プライベートＩＰアドレスＳＳ＃２）が含まれる。
【００７２】
ＳＩＰヘッダには、Ｌ＃２の回線番号（Ｆｒｏｍ／Ｐ−Ａ−ＩＤ：回線＃２番号）と、ＳＳ＃２のプライベートＩＰアドレス（Ｃｏｎｔａｃｔ／Ｖｉａ：プライベートＩＰアドレスＳＳ＃２）が含まれる。
【００７３】
ＳＤＰ情報には、ＲＳ＃２のプライベートＩＰアドレス（ｃ＝／ｏ＝行：プライベートＩＰアドレスＲＳ＃２）と、ＲＳ＃２から払い出しを受けたポート番号（受信ポート番号：＃２）が含まれる。
【００７４】
このＳＩＰ信号（ＩＮＶＩＴＥ）を受けたＬ７ＳＷからＬ＃２に送出されるＳＩＰ信号（ＩＮＶＩＴＥ）は、上記（２）の場合と同様である。
【００７５】
以上のように、本実施例の通信システムによれば、処理負荷の大きいメディア通信機能の能力を増強したい場合は、ＲＴＰサーバを増強すればよく、これに伴って、ＳＩＰサーバを増強する必要はない。よって、セッション制御機能の増強を伴わずに、メディア通信機能を増強できる。さらにセッション制御機能とメディア通信機能の対応を非固定的とすることにより、自由度の高い負荷分散構成を実現することができる。
【符号の説明】
【００７６】
ＳＳ＃１、ＳＳ＃２  ＳＩＰサーバ
ＲＳ＃１、ＲＳ＃２、ＲＳ＃３、ＲＳ＃４  ＲＴＰサーバ
Ｌ７ＳＷ  レイヤ７スイッチ
ＡＳ  アプリケーションサーバ  
【図１】
2015226114.tif 000003
【図２】
2015226114.tif 000004
【図３】
2015226114.tif 000005
【図４】
2015226114.tif 000006
【図５】
2015226114.tif 000007